(57)【要約】【課題】簡単な構造で水などの侵入を防止し電装部品を保護することができ、より信頼性の高い空気調和機をユーザーに安価に提供すること。【解決手段】本発明の空気調和機の室外ユニットは、少なくとも室内ユニットと室外ユニット１とを連結する内外接続電線４を挿入する開口部２ａと、内外接続電線４を固定する端子台３とを有する空気調和機の室外ユニット１であって、内外接続電線４の一部を保護する保護カバー６と、開口部２ａを覆う電装部カバー７とを備え、電装部カバー７を開口部２ａに嵌め合わせて取り付けた時に、電装部カバーの側壁７ａの端部よりも内側に位置する開口部の外周に突起部を設けた。【選択図】図１
2011158119.tif 000002
【特許請求の範囲】
【請求項１】
少なくとも室内ユニットと室外ユニットとを連結する内外接続電線を挿入する開口部と、前記内外接続電線を固定する端子台とを有する空気調和機の室外ユニットであって、前記内外接続電線の一部を保護する保護カバーと、前記開口部を覆う電装部カバーとを備え、前記電装部カバーを前記開口部に嵌め合わせて取り付けた時に、前記電装部カバーの側壁端部よりも内側に位置する前記開口部の外周に突起部を設けたことを特徴とする空気調和機の室外ユニット。
【請求項２】
少なくとも室内ユニットと室外ユニットとを連結する内外接続電線を挿入する開口部と、前記内外接続電線を固定する端子台とを有する空気調和機の室外ユニットであって、前記内外接続電線の一部を保護する保護カバーと、前記開口部を覆う電装部カバーとを備え、前記電装部カバーを前記開口部に嵌め合わせて取り付けた時に、前記電装部カバーの側壁端部が嵌め合わせ可能となる凹部を設けたことを特徴とする空気調和機の室外ユニット。
【請求項３】
前記凹部の底面に傾斜を設けることを特徴とする請求項２に記載の空気調和機の室外ユニット。
【請求項４】
保護カバーの両側端部を延長して折り曲げて形成する折り曲げ部を備え、前記電装部カバーの側壁端部と前記折り曲げ部とを、前記凹部に嵌め合わせ可能に構成したことを特徴とする請求項２または３に記載の空気調和機の室外ユニット。
【請求項５】
前記保護カバーの内方側であって、前記保護カバーの折り曲げ部よりも中央よりに凸部を設け、前記凸部と前記折り曲げ部との間に、前記開口部の外周側端部が位置することを特徴とする請求項４に記載の空気調和機の室外ユニット。
【発明の詳細な説明】
【技術分野】
【０００１】
本発明は、空気調和機の運転制御に関する。
【背景技術】
【０００２】
従来、この種の空気調和機の室外ユニットには、室内ユニットと室外ユニット間を連結し電源および信号を供給する内外接続電線を、外装部品の開口部近傍に固定され室外ユニット内部に収納される電源板に設置された端子台に接続し、内外接続電線を板金からなる電線押さえ具を兼用する保護カバーで電源板に固定し、さらに外装部品の開口部を覆うように樹脂成形品からなる電装部カバーを取り付けて構成されているものがあった（例えば、特許文献１参照）。
【０００３】
図１１および図１２は、特許文献１に記載された従来の空気調和機の室外ユニットを示す一部を省略した断面図である。図１１および図１２に示すように、従来の空気調和機の室外ユニットは、端子台３が外装部品２に設けられた内外接続電線４を接続するための開口部２ａ近傍に固定されて室外ユニット１の内部に収納される電源板５に固定され、端子台３に内外接続電線４を接続した後に板金からなり一部に電源押さえ具を構成し端子台を覆うように形成された保護カバー６で電源板５に固定し、さらに開口部２ａを覆うように樹脂成形品からなる電装部カバー７を取り付けて使用される。
【０００４】
上記の構成により室外ユニットは、内外接続電線の接続不良やヤモリなどの侵入感電により端子台近傍で出火した場合にも板金からなる保護カバーにより室外ユニット外部への延焼を防ぐことができ、また外装部品に設けた凹部に電装部カバーを取り付けることにより雨水が室外ユニット内部へ侵入しにくくして安全性を向上するとともに美観を向上することができた。
【０００５】
また、従来の他の空気調和機の室外ユニットには、端子台を外装部品の開口部近傍に設置して内外接続電線を板金からなり電線押さえ具を兼用する保護カバーで外装部品に固定し、さらに外装部品の開口部を覆うように樹脂成形品からなる電装部カバーを取り付けて構成されているものがあった。
【０００６】
図１３および図１４は、上記従来の他の空気調和機の室外ユニットを示す一部を省略した断面図である。図１３および図１４に示すように、従来の他の空気調和機の室外ユニットは端子台３が外装部品２に設けられた内外接続電線４を接続するための開口部２ａ近傍に固定され、端子台３に内外接続電線４を接続した後に板金からなり一部に電源押さえ部を設けて端子台を覆うように形成された保護カバー６で開口部２ａを覆うように樹脂成形品からなる電装部カバー７を取り付けて使用される。
【０００７】
上記の構成により室外ユニットは、内外接続電線の接続不良やヤモリなどの侵入感電により端子台近傍で出火した場合にも板金からなる保護カバーにより室外ユニット外部への延焼を防ぐことができ、また外装部品に設けた凹部に電装部カバーを取り付けることにより雨水が室外ユニット内部へ侵入しにくくして安全性を向上するとともに美観を向上することができた。
【先行技術文献】
【特許文献】
【０００８】
【特許文献１】特開２００２−１０６８８６号公報
【発明の概要】
【発明が解決しようとする課題】
【０００９】
しかしながら、前記従来の構成では、室外ユニットが台風などの激しい風雨に曝された場合や電装部カバーが多少変形した場合などに電装部カバーと外装部品との隙間より水が侵入し室外ユニット内部の電装部品を損傷する可能性があり、それらの隙間を埋めるためにシール材などの貼り付けが必要になるという課題を有していた。
【００１０】
本発明は、前記従来の課題を解決するもので、簡単な構造で水などの浸入を防止し電装部品を保護することができる空気調和機の室外ユニットを提供することを目的とする。
【課題を解決するための手段】
【００１１】
前記従来の課題を解決するために、本発明の空気調和機の室外ユニットは、少なくとも室内ユニットと室外ユニットとを連結する内外接続電線を挿入する開口部と、内外接続電線を固定する端子台とを有する空気調和機の室外ユニットであって、内外接続電線の一部を保護する保護カバーと、開口部を覆う電装部カバーとを備え、電装部カバーを開口部に嵌め合わせて取り付けた時に、電装部カバーの側壁端部よりも内側に位置する開口部の外周に突起部を設けたことにより、簡単な構造で水などの侵入を防止し電装部品を保護することができ、信頼性の高い空気調和機をユーザーに安価に提供することができる。
【００１２】
また、前記従来の課題を解決するために、本発明の空気調和機の室外ユニットは、少なくとも室内ユニットと室外ユニットとを連結する内外接続電線を挿入する開口部と、内外接続電線を固定する端子台とを有する空気調和機の室外ユニットであって、内外接続電線の一部を保護する保護カバーと、開口部を覆う電装部カバーとを備え、電装部カバーを開口部に嵌め合わせて取り付けた時に、電装部カバーの側壁端部が嵌め合わせ可能となる凹部を設けたことにより、簡単な構造で水などの侵入を防止し電装部品を保護することができ、信頼性の高い空気調和機をユーザーに安価に提供することができる。
【発明の効果】
【００１３】
本発明の空気調和機の室外ユニットは、簡単な構造で水などの侵入を防止し電装部品を保護することができ、より信頼性の高い空気調和機をユーザーに安価に提供することができる。
【図面の簡単な説明】
【００１４】
【図１】本発明の実施の形態１における室外ユニットの要部上面断面図
【図２】同実施の形態１における室外ユニットの要部側面断面図
【図３】本発明の実施の形態２における室外ユニットの要部上面断面図
【図４】同実施の形態２における室外ユニットの要部側面断面図
【図５】本発明の実施の形態３における室外ユニットの要部上面断面図
【図６】同実施の形態３における室外ユニットの要部側面断面図
【図７】本発明の実施の形態４における室外ユニットの要部上面断面図
【図８】同実施の形態４における室外ユニットの要部側面断面図
【図９】本発明の実施の形態５における室外ユニットの要部上面断面図
【図１０】同実施の形態５における室外ユニットの要部側面断面図
【図１１】従来の室外ユニットの要部断面図
【図１２】従来の室外ユニットの要部断面図
【図１３】従来の他の室外ユニットの要部断面図
【図１４】従来の他の室外ユニットの要部断面図
【発明を実施するための形態】
【００１５】
第１の発明の空気調和機の室外ユニットは、少なくとも室内ユニットと室外ユニットと
を連結する内外接続電線を挿入する開口部と、内外接続電線を固定する端子台とを有する空気調和機の室外ユニットであって、内外接続電線の一部を保護する保護カバーと、開口部を覆う電装部カバーとを備え、電装部カバーを開口部に嵌め合わせて取り付けた時に、電装部カバーの側壁端部よりも内側に位置する開口部の外周に突起部を設けたことにより、簡単な構造で水などの侵入を防止し電装部品を保護することができ、信頼性の高い空気調和機をユーザーに安価に提供することができる。
【００１６】
第２の発明の空気調和機の室外ユニットは、少なくとも室内ユニットと室外ユニットとを連結する内外接続電線を挿入する開口部と、内外接続電線を固定する端子台とを有する空気調和機の室外ユニットであって、内外接続電線の一部を保護する保護カバーと、開口部を覆う電装部カバーとを備え、電装部カバーを開口部に嵌め合わせて取り付けた時に、電装部カバーの側壁端部が嵌め合わせ可能となる凹部を設けたことにより、簡単な構造で水などの侵入を防止し電装部品を保護することができ、信頼性の高い空気調和機をユーザーに安価に提供することができる。
【００１７】
第３の発明の空気調和機の室外ユニットは、特に第２の発明において、凹部の底面に傾斜を設けることにより、凹部の底面と電装部カバーの側壁端部との間に空間を形成することができ、水が流れる通路を作ることができるので、侵入した水が下方に流れやすくなる。
【００１８】
第４の発明の空気調和機の室外ユニットは、特に第２または第３の発明において、保護カバーの両側端部を延長して折り曲げて形成する折り曲げ部を備え、電装部カバーの側壁端部と折り曲げ部とを、凹部に嵌め合わせ可能に構成したことにより、さらに確実に水の浸入を防ぐことができる。
【００１９】
第５の発明の空気調和機の室外ユニットは、特に第４の発明において、保護カバーの内方側であって、保護カバーの折り曲げ部よりも中央よりに凸部を設け、凸部と折り曲げ部との間に、開口部の外周側端部が位置することにより、さらに確実に水の浸入を防ぐことができる。
【００２０】
以下、本発明の実施の形態について、図面を参照しながら説明する。なお、この実施の形態によって本発明が限定されるものではない。
【００２１】
（実施の形態１）
図１および図２は、本発明の第１の実施の形態における空気調和機の室外ユニットを示す一部を省略した断面図である。図１および図２において、従来の技術の図１１〜図１４と同じ構成要素については同じ符号を用いて、その説明を省略する。
【００２２】
図１、図２において、室外ユニット１には、室内ユニット（図示せず）と接続する内外接続電線４の一方を接続する端子台３が設けられている。また、室外ユニット１の筐体２の一部には内外接続電線４を挿入できるように開口部２ａが設けられている。さらに、一部に内外接続電線４を押さえるように板金で形成された保護カバー６が、開口部２ａの一部を覆うように固定されている。そして、開口部２ａの全てを覆うように電装部カバー７が取り付けられている。
【００２３】
また、開口部２ａの外周部であって、電装部カバー７を取り付けた時に側壁７ａが、筐体２に接触する側壁端部よりも内側（中央側）に位置する箇所に、突部２ｃが設けられている。その結果、筐体２の一部に凹部２ｄが形成されることになり、電装部カバー７の側壁７ａが凹部２ｄに嵌め合わせ可能に構成され、取り付けられる。
【００２４】
以上のように構成された空気調和機の室外ユニットについて、以下その動作、作用を説明する。
【００２５】
筐体２と電装部カバー７の隙間に侵入した水は、通常の使用状況では電装部カバー７の側壁７ａに沿って下方に流れて排出される。しかし台風などの激しい風雨に曝された場合や電装部カバー７が多少変形した場合などには、筐体２の凹部２ｄと電装部カバー７の側壁７ａの間から内部に水が浸入することがあるが、凹部２ｄに電装部カバー７の側壁７ａが接触する位置よりも開口側に突起部２ｃを設けることにより内部に侵入した水を塞き止めて下方に流して排出し室外ユニット１内部の電装部品を保護することができる。
【００２６】
以上のように、本実施の形態においては、簡単な構造で水などの侵入を防止し電装部品を保護することができ、信頼性の高い空気調和機をユーザーに安価に提供することができる。
【００２７】
（実施の形態２）
図３および図４は、本発明の第２の実施の形態における空気調和機の室外ユニットを示す一部を省略した断面図である。図３および図４において、図１および図２、従来の技術の図１１〜図１４と同じ構成要素については同じ符号を用いて、その説明を省略する。
【００２８】
図３、図４において、室外ユニット１は、本発明の第１の実施の形態における突起部２ｃを省略し、凹部外周部２ｄがより深い段差を有するように形成し、凹部外周部２ｄに電装部カバー７の側壁７ａを嵌め合わせて電装部カバー７が取り付けられている。
【００２９】
以上のように構成された空気調和機の室外ユニットにおいては、凹部外周部２ｄの段差により侵入した水を塞き止めることができ、室外ユニット１内部の電装部品を保護することができる。
【００３０】
以上のように、本実施の形態においては、第１の実施の形態における突起部を省略し、凹部外周部がより深い段差を有するように凹部を形成することにより、簡単な構造で水などの侵入を防止し電装部品を保護することができ、信頼性の高い空気調和機をユーザーに安価に提供することができる。
【００３１】
（実施の形態３）
図５および図６は、本発明の第３の実施の形態における空気調和機の室外ユニットを示す一部を省略した断面図である。図５および図６において、図１〜図４、図１１〜図１４と同じ構成要素については同じ符号を用い、説明を省略する。
【００３２】
図５、図６において、室外ユニット１は、保護カバー６の凹部外周部２ｄの底面に傾斜を設けて構成されている。このように構成することにより、凹部外周部２ｄの底面の傾斜部分と電装部カバー７の側壁７ａの間の空間に水路を形成することができ、この水路を設けることによって、凹部外周部２ｄに侵入した水を下方に流れやすくすることができ、室外ユニット１内部の電装部品を保護することができる。
【００３３】
（実施の形態４）
図７および図８は、本発明の第４の実施の形態における空気調和機の室外ユニットを示す一部を省略した断面図である。図７および図８において、図１〜図６、図１１〜図１４と同じ構成要素については同じ符号を用い、説明を省略する。
【００３４】
図７、図８において、保護カバー６の両側端部（側辺）を延長して略直角形状に折り曲げることにより折り曲げ部６ａを設けている。そして折り曲げ部６ａと、電装部カバー７
の側壁７ａの端部とを一緒に凹部２ｄに嵌め合わせ可能に構成している。
【００３５】
つまり、電装部カバー７を取り付ける際には、側壁７ａの端部と折り曲げ部６ａとを一緒に凹部２ｄに嵌め合わせて電装部カバー７を取り付けている。このように構成することによって、確実に侵入した水を電装部分に侵入するのを塞き止めることができ、室外ユニット１内部の電装部品を保護することができる。
【００３６】
（実施の形態５）
図９および図１０は、本発明の第５の実施の形態における空気調和機の室外ユニットを示す一部を省略した断面図である。図９および図１０において、図１〜図８、図１１〜図１４と同じ構成要素については同じ符号を用い、説明を省略する。
【００３７】
図９に示すように、本実施の形態では、保護カバーの内方側（裏面側）であって、保護カバーの折り曲げ部よりも中央よりに凸部６ｂを設け、凸部６ｂと折り曲げ部６ａとの間に、開口部２ａの外周側端部２ｂが位置するように構成している。
【００３８】
そしてこのように構成することにより、保護カバー６に室外ユニット１内側への凸部６ｂを設けて取り付けることにより侵入した水を塞き止めることができ、室外ユニット１内部の電装部品を保護することができる。
【産業上の利用可能性】
【００３９】
以上のように、本発明にかかる空気調和機の室外ユニットは、簡単な構造で水などの侵入を防止し電装部品を保護することが可能となるので、給湯機など屋外設置機器等の用途にも適用できる。
【符号の説明】
【００４０】
１  室外ユニット
２  筐体
２ａ  開口部
２ｂ  外周側端部
２ｃ  突起部
２ｄ  凹部
３  端子台
４  内外接続電線
６  保護カバー
６ａ  折り曲げ部
６ｂ  凸部
７  電装部カバー
７ａ  側壁
【図１】
2011158119.tif 000003
【図２】
2011158119.tif 000004
【図３】
2011158119.tif 000005
【図４】
2011158119.tif 000006
【図５】
2011158119.tif 000007
【図６】
2011158119.tif 000008
【図７】
2011158119.tif 000009
【図８】
2011158119.tif 000010
【図９】
2011158119.tif 000011
【図１０】
2011158119.tif 000012
【図１１】
2011158119.tif 000013
【図１２】
2011158119.tif 000014
【図１３】
2011158119.tif 000015
【図１４】
2011158119.tif 000016